【手続補正書】
【提出日】平成22年4月6日(2010.4.6)
【手続補正１】
【補正対象書類名】特許請求の範囲
【補正対象項目名】全文
【補正方法】変更
【補正の内容】
【特許請求の範囲】
【請求項１】
型締めによってキャビティを形成する複数の分割型を備える金型における少なくとも１つの分割型を誘導加熱ヒータにより誘導加熱する金型であって、
前記分割型に、前記誘導加熱ヒータが該分割型をその型内部において誘導加熱するように設けられ、
前記分割型に、前記誘導加熱ヒータが着脱可能に設けられ、
前記分割型に、前記誘導加熱ヒータのヒータ本体を嵌合可能でかつ抜取り可能な凹部が設けられ、
前記凹部が前記キャビティに隣接している
ことを特徴とする金型。
【請求項２】
型締めによってキャビティを形成する複数の分割型を備える金型における少なくとも１つの分割型を誘導加熱ヒータにより誘導加熱する金型であって、
前記分割型に、前記誘導加熱ヒータが該分割型をその型内部において誘導加熱するように設けられ、
前記分割型に、前記誘導加熱ヒータが着脱可能に設けられ、
前記分割型に、前記誘導加熱ヒータのヒータ本体を嵌合可能でかつ抜取り可能な凹部が設けられ、
前記凹部が、前記分割型が有する湯流れ通路に隣接している
ことを特徴とする金型。
【請求項３】
型締めによってキャビティを形成する複数の分割型を備える金型における少なくとも１つの分割型を誘導加熱ヒータにより誘導加熱する金型であって、
前記分割型に、前記誘導加熱ヒータが該分割型をその型内部において誘導加熱するように設けられ、
前記分割型に、前記誘導加熱ヒータが着脱可能に設けられ、
前記分割型に、前記誘導加熱ヒータのヒータ本体を嵌合可能でかつ抜取り可能な凹部が設けられ、
前記凹部が湯口に隣接している
ことを特徴とする金型。
【請求項４】
請求項１〜３のいずれか１つに記載の金型であって、
前記分割型が、前記キャビティを形成する製品成形部を有する入れ子と、その入れ子を組込んだ母型とを備え、
前記凹部が、前記母型を通じて前記入れ子内を貫通している
ことを特徴とする金型。
【請求項５】
請求項４に記載の金型であって、
前記誘導加熱ヒータのヒータ本体の誘導加熱にかかる作用部を前記入れ子内に対応させたことを特徴とする金型。
【請求項６】
請求項１〜３のいずれか１つに記載の金型であって、
前記凹部が、前記誘導加熱ヒータのヒータ本体を所定の隙間を介して遊嵌可能に形成されていることを特徴とする金型。
【請求項７】
請求項１〜３のいずれか１つに記載の金型であって、
前記分割型を複数の前記誘導加熱ヒータにより誘導加熱することを特徴とする金型。
【請求項８】
請求項１〜３のいずれか１つに記載の金型であって、
前記分割型の凹部の開口端面に、前記誘導加熱ヒータのヒータ本体の基端部に設けたストッパを当接させることによって、該凹部内に対する前記ヒータ本体の嵌合量を規定する構成としたことを特徴とする金型。
【手続補正２】
【補正対象書類名】明細書
【補正対象項目名】発明の名称
【補正方法】変更
【補正の内容】
【発明の名称】金型
【手続補正３】
【補正対象書類名】明細書
【補正対象項目名】０００１
【補正方法】変更
【補正の内容】
【０００１】
本発明は、金型に関する。
【手続補正４】
【補正対象書類名】明細書
【補正対象項目名】０００３
【補正方法】変更
【補正の内容】
【０００３】
しかしながら、温水の熱で金型を予熱する方法では、捨打ちを行なう必要が少なくなるものの、金型を良品の得られる温度域まで上昇させるために時間がかかるとともに、予熱温度も高くすることが難しいという問題があった。
本発明が解決しようとする課題は、金型を短時間で高温に加熱することのできる金型を提供することにある。
【手続補正５】
【補正対象書類名】明細書
【補正対象項目名】０００４
【補正方法】変更
【補正の内容】
【０００４】
前記した課題は、特許請求の範囲の欄に記載された構成を要旨とする金型により解決することができる。
すなわち、特許請求の範囲の請求項１にかかる金型によると、型締めによってキャビティを形成する複数の分割型を備える金型における少なくとも１つの分割型を誘導加熱ヒータにより誘導加熱することにより、金型のキャビティ近傍を短時間で高温に加熱することができる。
また、分割型に、誘導加熱ヒータが該分割型をその型内部において誘導加熱するように設けられている。このため、誘導加熱ヒータが分割型をその型内部において誘導加熱することができる。
また、分割型に、誘導加熱ヒータが着脱可能に設けられている。このため、分割型に着脱可能に設けた誘導加熱ヒータにより該分割型を誘導加熱することができる。また、分割型に着脱可能に設けた誘導加熱ヒータは、必要に応じて、別の金型の分割型の加熱に容易に適用することができる。
また、分割型に、誘導加熱ヒータのヒータ本体を嵌合可能でかつ抜取り可能な凹部が設けられている。このため、分割型に設けた凹部に誘導加熱ヒータのヒータ本体を抜取り可能に嵌合することができ、その分割型を誘導加熱ヒータのヒータ本体により誘導加熱することにより、金型を短時間で高温に加熱することができる。また、凹部は、分割型に容易に加工することが可能である。このため、分割型の改造を容易に行なうことができる。なお、本明細書でいう「凹部」には、凹み部のほか、溝部、有底状に形成された中空状穴部、貫通状に形成された中空状孔部等が相当する。
また、凹部がキャビティに隣接している。このため、凹部内に嵌合した誘導加熱ヒータのヒータ本体により、キャビティ近傍を誘導加熱することができる。
【手続補正６】
【補正対象書類名】明細書
【補正対象項目名】０００５
【補正方法】変更
【補正の内容】
【０００５】
また、特許請求の範囲の請求項２にかかる金型によると、型締めによってキャビティを形成する複数の分割型を備える金型における少なくとも１つの分割型を誘導加熱ヒータにより誘導加熱することにより、金型の湯流れ通路近傍を短時間で高温に加熱することができる。
また、分割型に、誘導加熱ヒータが該分割型をその型内部において誘導加熱するように設けられている。このため、誘導加熱ヒータが分割型をその型内部において誘導加熱することができる。
また、分割型に、誘導加熱ヒータが着脱可能に設けられている。このため、分割型に着脱可能に設けた誘導加熱ヒータにより該分割型を誘導加熱することができる。また、分割型に着脱可能に設けた誘導加熱ヒータは、必要に応じて、別の金型の分割型の加熱に容易に適用することができる。
また、分割型に、誘導加熱ヒータのヒータ本体を嵌合可能でかつ抜取り可能な凹部が設けられている。このため、分割型に設けた凹部に誘導加熱ヒータのヒータ本体を抜取り可能に嵌合することができ、その分割型を誘導加熱ヒータのヒータ本体により誘導加熱することにより、金型を短時間で高温に加熱することができる。また、凹部は、分割型に容易に加工することが可能である。このため、分割型の改造を容易に行なうことができる。なお、本明細書でいう「凹部」には、凹み部のほか、溝部、有底状に形成された中空状穴部、貫通状に形成された中空状孔部等が相当する。
また、凹部が、分割型が有する湯流れ通路に隣接している。このため、凹部内に嵌合した誘導加熱ヒータのヒータ本体により、湯流れ通路近傍を誘導加熱することができる。
【手続補正７】
【補正対象書類名】明細書
【補正対象項目名】０００６
【補正方法】変更
【補正の内容】
【０００６】
また、特許請求の範囲の請求項３にかかる金型によると、型締めによってキャビティを形成する複数の分割型を備える金型における少なくとも１つの分割型を誘導加熱ヒータにより誘導加熱することにより、金型の湯口近傍を短時間で高温に加熱することができる。
また、分割型に、誘導加熱ヒータが該分割型をその型内部において誘導加熱するように設けられている。このため、誘導加熱ヒータが分割型をその型内部において誘導加熱することができる。
また、分割型に、誘導加熱ヒータが着脱可能に設けられている。このため、分割型に着脱可能に設けた誘導加熱ヒータにより該分割型を誘導加熱することができる。また、分割型に着脱可能に設けた誘導加熱ヒータは、必要に応じて、別の金型の分割型の加熱に容易に適用することができる。
また、分割型に、誘導加熱ヒータのヒータ本体を嵌合可能でかつ抜取り可能な凹部が設けられている。このため、分割型に設けた凹部に誘導加熱ヒータのヒータ本体を抜取り可能に嵌合することができ、その分割型を誘導加熱ヒータのヒータ本体により誘導加熱することにより、金型を短時間で高温に加熱することができる。また、凹部は、分割型に容易に加工することが可能である。このため、分割型の改造を容易に行なうことができる。なお、本明細書でいう「凹部」には、凹み部のほか、溝部、有底状に形成された中空状穴部、貫通状に形成された中空状孔部等が相当する。
また、凹部が湯口に隣接している。このため、凹部内に嵌合した誘導加熱ヒータのヒータ本体により、湯口近傍を誘導加熱することができる。
【手続補正８】
【補正対象書類名】明細書
【補正対象項目名】０００７
【補正方法】削除
【補正の内容】
【手続補正９】
【補正対象書類名】明細書
【補正対象項目名】０００８
【補正方法】削除
【補正の内容】
【手続補正１０】
【補正対象書類名】明細書
【補正対象項目名】０００９
【補正方法】削除
【補正の内容】
【手続補正１１】
【補正対象書類名】明細書
【補正対象項目名】００１０
【補正方法】削除
【補正の内容】
【手続補正１２】
【補正対象書類名】明細書
【補正対象項目名】００１１
【補正方法】削除
【補正の内容】
【手続補正１３】
【補正対象書類名】明細書
【補正対象項目名】００１２
【補正方法】変更
【補正の内容】
【００１２】
また、特許請求の範囲の請求項４にかかる金型によると、凹部が母型を通じて入れ子内を貫通している。このため、凹部内に嵌合した誘導加熱ヒータのヒータ本体により、母型とともに製品成形部を有する入れ子を誘導加熱することができる。
【手続補正１４】
【補正対象書類名】明細書
【補正対象項目名】００１３
【補正方法】変更
【補正の内容】
【００１３】
また、特許請求の範囲の請求項５にかかる金型によると、誘導加熱ヒータのヒータ本体の誘導加熱にかかる作用部を入れ子内に対応させたことにより、製品成形部を有する入れ子を効果的に誘導加熱することができる。なお、本明細書でいう「ヒータ本体の誘導加熱にかかる作用部」とは、ヒータ本体で実質的に被加熱体を誘導加熱する部分のことである。詳しくは、ヒータ本体で被加熱体を誘導加熱することができない非作用部（例えば、ヒータ本体の基端部及び／又は先端部の近傍）が存在する場合があるため、その非作用部を除いた部分を作用部として入れ子内に対応させることにより、入れ子を効果的に誘導加熱することができる。
【手続補正１５】
【補正対象書類名】明細書
【補正対象項目名】００１４
【補正方法】変更
【補正の内容】
【００１４】
また、特許請求の範囲の請求項６にかかる金型によると、凹部内に誘導加熱ヒータのヒータ本体を所定の隙間を介して遊嵌することができる。このため、凹部の内壁面と誘導加熱ヒータのヒータ本体との接触面積を減少し、そのヒータ本体を分割型の熱から保護することができる。
【手続補正１６】
【補正対象書類名】明細書
【補正対象項目名】００１５
【補正方法】変更
【補正の内容】
【００１５】
また、特許請求の範囲の請求項７にかかる金型によると、分割型を複数の誘導加熱ヒータにより誘導加熱することができる。
【手続補正１７】
【補正対象書類名】明細書
【補正対象項目名】００１６
【補正方法】変更
【補正の内容】
【００１６】
また、特許請求の範囲の請求項８にかかる金型によると、分割型の凹部の開口端面に、誘導加熱ヒータのヒータ本体の基端部に設けたストッパを当接させることによって、凹部内に対する前記ヒータ本体の嵌合量を規定する構成としたものである。このため、分割型の凹部内に対する誘導加熱ヒータのヒータ本体の嵌合量を容易に規定することができる。
【手続補正１８】
【補正対象書類名】明細書
【補正対象項目名】００１７
【補正方法】削除
【補正の内容】
【手続補正１９】
【補正対象書類名】明細書
【補正対象項目名】００１８
【補正方法】削除
【補正の内容】
【手続補正２０】
【補正対象書類名】明細書
【補正対象項目名】００１９
【補正方法】削除
【補正の内容】
【手続補正２１】
【補正対象書類名】明細書
【補正対象項目名】００２０
【補正方法】削除
【補正の内容】
【手続補正２２】
【補正対象書類名】明細書
【補正対象項目名】００２１
【補正方法】削除
【補正の内容】
【手続補正２３】
【補正対象書類名】明細書
【補正対象項目名】００２２
【補正方法】削除
【補正の内容】
【手続補正２４】
【補正対象書類名】明細書
【補正対象項目名】００２３
【補正方法】削除
【補正の内容】
【手続補正２５】
【補正対象書類名】明細書
【補正対象項目名】００２４
【補正方法】削除
【補正の内容】
【手続補正２６】
【補正対象書類名】明細書
【補正対象項目名】００２８
【補正方法】変更
【補正の内容】
【００２８】
図１に示すように、金型１０は、２つに分割された金型すなわち分割型１２，１４を備えている。ここでは、図１における右側の分割型１２を固定側の分割型（以下、「固定型」という。）１２とし、その左側の分割型１４を可動側の分割型（以下、「可動型」という。）１４としている。固定型１２は、ダイカスト成形機１５の固定支持台１６に支持されている。また、可動型１４は、ダイカスト成形機１５の可動支持台１９に締付板１７，１８を介して支持されている。可動支持台１９は、ダイカスト成形機１５の図示しない金型移動装置により図１において左右方向に移動されることにより、固定支持台１６に支持された固定型１２に対して可動型１４を型締め及び型開きさせる。
【手続補正２７】
【補正対象書類名】明細書
【補正対象項目名】００４７
【補正方法】変更
【補正の内容】
【００４７】
また、前記した金型１０によると、固定型１２に設けたヒータ挿入孔４８に誘導加熱ヒータ４５のヒータ本体５０を嵌合すなわち挿入することができ、その固定型１２を誘導加熱ヒータ４５のヒータ本体５０により高周波誘導加熱することにより、金型１０（固定型１２及び可動型１４）を短時間で高温に加熱することができる。これにより、成形不良を防止あるいは低減することができるとともに、金型１０の溶湯との温度差によるヒートショックの緩和により金型１０の寿命を向上することができる。また、金型１０の固定型１２を誘導加熱ヒータ４５により高周波誘導加熱するため、その作業場が汚れることがなく、作業環境を向上することができる。また、固定型１２に容易に加工することが可能であるため、固定型１２の改造を容易に行なうことができる。また、ヒータ挿入孔４８は、貫通孔にすることにより、左右のどちらからでも誘導加熱ヒータ４５を装着することができる。なお、ヒータ挿入孔４８は、貫通孔に代えて、有底孔としてもよい。
【手続補正２８】
【補正対象書類名】明細書
【補正対象項目名】００７１
【補正方法】変更
【補正の内容】
【００７１】
［実施例６］
実施例６を説明する。本実施例は、前記実施例５に変更を加えたものである。なお、図１２は金型と誘導加熱ヒータとの関係を示す斜視図である。また、本実施例は本発明の関連技術である。
本実施例は、図１２に示すように、前記誘導加熱ヒータ４５のヒータ本体（符号、９２を付す。）を板状に形成し、そのヒータ本体９２を固定型１２の外側面に重ねたものである。なお、ヒータ本体９２は、固定型１２の外側面に接着剤、ねじ止め手段等により固定的あるいは着脱可能に設けてもよい。また、固定型１２の外側面を上方に向ければ、その外側面上にヒータ本体９２を載置することができる。
【手続補正２９】
【補正対象書類名】明細書
【補正対象項目名】００７５
【補正方法】変更
【補正の内容】
【００７５】
本発明は前記実施例に限定されるものではなく、本発明の要旨を逸脱しない範囲における変更が可能である。例えば、本発明は、ダイカスト成形にかかる金型に限らず、樹脂成形にかかる金型にも適用することができる。このため、樹脂成形にかかる金型にあっては、湯逃がし通路及び湯溜まり部は省略することができる。また、本発明では、固定型と可動型との２つの分割型を備える金型に限らず、固定型と可動型と少なくとも１つのスライド型を備える３つ以上の分割型を備える金型にも適用することができる。なお、前記実施例では、金型を予熱したが、ダイカスト成形中（例えば、溶湯の注入中、注入直前等）において金型を加熱することもできる。また、前記実施例では、金型１０を高周波誘導加熱したが、金型１０を低高周波誘導加熱することもできる。また、分割型のヒータ挿入孔に誘導加熱ヒータのヒータ本体を所定の隙間を介して遊嵌状に挿入したが、分割型のヒータ挿入孔に誘導加熱ヒータのヒータ本体をほとんど隙間無く挿入することもできる。また、誘導加熱ヒータの棒状のヒータ本体の外形は、円筒状に代えて、三角、四角、六角等の角筒状に変更することもできる。また、誘導加熱ヒータの板状のヒータ本体の外形は、四角板状に代えて、円板状、長円形板状、三角形板状、台形板状等に変更することができる。また、誘導加熱ヒータのストッパは省略することもできる。また、誘導加熱ヒータの誘導加熱コイルは、パイプ材に代えて、中実状の線条材に代えることもできる。また、誘導加熱ヒータの電源装置において、冷却装置は省略することもできる。また、冷却装置を、電源装置本体とは別個に台車等により移動可能とすることもできる。また、電源装置の手押し台車は、自走台車に代えることもできる。また、電源装置は、クレーン、フォークリフト等により移動させることもできる。
【手続補正３０】
【補正対象書類名】図面
【補正対象項目名】図９
【補正方法】変更
【補正の内容】
【図９】
2008049373.tif 000001
【手続補正３１】
【補正対象書類名】図面
【補正対象項目名】図１２
【補正方法】変更
【補正の内容】
【図１２】
2008049373.tif 000002